(57)【特許請求の範囲】
【請求項１】
ケースと、前記ケースに配置されたカム溝付きの摺動体と、前記摺動体を前記ケースから突出する方向へ付勢するばね部材と、前記摺動体に枢支され先端側爪を摺動体内から突出して被係脱部材を係止する係止状態と摺動体内に退避する係止解除状態とに切換可能な係合体と、前記カム溝を動くトレース部材とを備え、前記摺動体が前記ばね部材の付勢力に抗し移動されると移動後の位置に前記カム溝及びトレース部材を介し係止され、かつ前記係合体が係止解除状態から係止状態に切り換えられるラッチ装置において、
前記摺動体に揺動可能に枢支されて、前記係合体が前記被係脱部材を係止している係止状態で、前記被係脱部材の引き抜き方向への引き力により係止解除方向へ揺動されるときに該係合体の揺動抵抗となって付勢力を蓄積可能な無理抜き荷重増大用の係止補強体を有していることを特徴とするラッチ装置。
【請求項２】
前記係止補強体は、前記係合体に圧接して付勢力を蓄積可能な弾性片部を有していることを特徴とする請求項１に記載のラッチ装置。
【請求項３】
前記係止補強体及び前記摺動体は、一方に設けられた凸部と、他方に設けられた凹部とを有し、前記係合体が係止状態から係止解除状態に切り換えられる過程で、前記凸部と凹部とが着脱可能に嵌合して前記係止補強体の揺動を規制することを特徴とする請求項１又は２に記載のラッチ装置。
【請求項４】
前記係止補強体は、幅方向の両側に設けられた突起部を有し、前記突起部が前記係合体側に設けられた位置決め部に嵌合した状態に組み付けられることを特徴とする請求項２又は３に記載のラッチ装置。
【請求項５】
前記係合体は、背面側に設けられた凹所を有し、前記弾性片部が前記凹所内に圧接変形可能に配置されていることを特徴とする請求項２に記載のラッチ装置。
【請求項６】
前記摺動体及び前記係合体は、一方に設けられた長穴と、他方に設けられた軸部とを有し、前記係合体が前記摺動体に対し前記軸部を前記長穴に移動可能に嵌合した状態に枢支されており、前記係合体が前記被係脱部材の引き抜き方向への引き力により係止解除方向へ揺動されるときに前記軸部が前記長穴内で移動することを特徴とする請求項１から５の何れかに記載のラッチ装置。
【発明の詳細な説明】
【技術分野】
【０００１】
本発明は、第１部材（例えば、本体や基体）に対し第２部材（例えば、蓋や扉などの可動体）を着脱可能に係止するようなときに用いられるラッチ装置のうち、特に最初の押し操作により第２部材側のストライカーを係止し、次の押し操作により係止解除するプッシュ式（これはプッシュ・プッシュ式、プッシュロック・プッシュオープン式、オルタネート式などと称されることもある。以下、同じ）に好適なラッチ装置に関する。
【背景技術】
【０００２】
図１０は特許文献１に開示のプッシュ式のラッチ装置を示している。この構造では、ケース２と、ケース内に配置されてばね部材４５の付勢力に抗して押圧移動される突当部３２及びカム溝５などを有した摺動体３０と、先端側爪部３９及び後端側凸部３８ｃを有して摺動体３０に枢支された係合体３７と、トレース部材６とを備えている。ここで、係合体３７は、摺動体３０の軸穴に対し両側の軸部３７ａを嵌合枢支され、摺動体３０の移動により、爪部３９を突当部３２上に突出して被係脱部材であるストライカー６２を係止する同（ｂ）の係止状態と、爪部３９を突当部３２上から退行する同（ａ）の係止解除状態とに切り換えられる。係止解除状態では、摺動体３０がばね部材４５の付勢力でケース入口側に移動され、係合体３７がケース２内に設けられた張出部２８に凸部３８ｃを乗り上げることでその状態を保つ。係止状態では、摺動体３０がストライカー６２の押し力でばね部材４５の付勢力に抗して奥側に移動され、該移動後の位置にカム溝５及びトレース部材６の係合を介し係止され、係合体３７が凸部３８ｃを張出部２８から低くなった部分に移動し、かつ傾動して爪部３９を摺動体側の開口３３内から突出する。
【０００３】
換言すると、以上のラッチ装置は、摺動体３０に対するストライカー６２の押し力により係合体３７を係止解除状態から係止状態に切り換え、摺動体３０に対するストライカー６２の次の押し力により係止状態から係止解除状態に切り換える。その際、ばね部材４５は、上側が係合体３７の下中間に設けられた突片部に係止されており、摺動体３０が奥へ押圧移動される過程で付勢力を蓄積しながら、係合体３７を軸部３７ａを支点として同図の逆時計回りへ回転し係止解除状態から係止方向へ切換可能とする。
【０００４】
使用例としては、本体側にラッチ装置を取り付け、扉側にストライカー６２を設けた場合だと、図１０（ｂ）が扉を本体に係止（ロック）した状態となり、扉側のストライカー６２が本体側のラッチ装置を構成している係合体３７により係止される。この係止は、扉が再び本体側へ押されると、トレース部材６がカム溝５の係止溝から外れて同（ａ）のごとく係止解除される。このような構造は特許文献２や３のラッチ装置でも同様である。
【先行技術文献】
【特許文献】
【０００５】
【特許文献１】特許第４１６４３２９号公報
【特許文献２】特開２００８−２０８６８４号公報
【特許文献３】特開２０１０−１０６４７８号公報
【発明の概要】
【発明が解決しようとする課題】
【０００６】
上記したラッチ装置では、例えば、扉を閉じた係止状態において、扉を本体から離間する方向の外力が作用すると、係合体３７がストライカー６２の引き抜き方向の応力を受けて摺動体側開口３３を区画している枠部の内面に圧接される。この構造では、そのときに生じる摩擦力により係合体３７とストライカー６２との間に所定の係止力、つまり係止状態を維持しようとする力（無理抜き荷重）が得られるようにし、扉が不用意に開くという事態を防止している。
【０００７】
ところが、そのような無理抜き荷重は、係合体側爪部３９と開口３３とが接する面同士の表面粗さやヒケ度合いなどの外的要因に左右されて一定に維持し難かった。また、従来構造では、無理抜き荷重を高くするため係合体側爪部３９の形状にアンダーカット段差を設けると、爪部３９が開口３３側に引っかかるなど通常時の正常な作動が損なわれ易くなる。なお、扉に対し無理抜き荷重より大きな外力が作用した場合は、係合体３７が爪部３９を突当部３２上から退行するよう回転、つまり係止状態から係止解除方向に切り換えられるが、カム溝やトレース部材の破壊要因となる。
【０００８】
以上のような対策として、本出願人は特許文献２や３に開示されている構成などを開発してきた。本発明の目的は、それらの対策に比べ、特に無理抜き荷重を高くしたり用途に応じた大きさに確実かつ的確に変更可能にして、設計自由度を向上し用途拡大を図ることにある。
【課題を解決するための手段】
【０００９】
上記目的を達成するため本発明は、図面を参照して特定すると、ケース１と、前記ケースに配置されたカム溝付きの摺動体２と、前記摺動体を前記ケースから突出する方向へ付勢するばね部材４と、前記摺動体に枢支され先端側爪３２を摺動体内から突出して被係脱部材７を係止する係止状態と摺動体内に退避する係止解除状態とに切換可能な係合体３と、前記カム溝を動くトレース部材５とを備え、前記摺動体２が前記ばね部材４の付勢力に抗し移動されると移動後の位置に前記カム溝及びトレース部材を介し係止され、かつ前記係合体３が係止解除状態から係止状態に切り換えられるラッチ装置において、前記摺動体２に揺動可能に枢支されて、前記係合体３が前記被係脱部材７を係止している係止状態で、前記被係脱部材７の引き抜き方向への引き力により係止解除方向へ揺動されるときに該係合体の揺動抵抗となって付勢力を蓄積可能な無理抜き荷重増大用の係止補強体６を有していることを特徴としている。なお、以上の係止補強体６は、例えば、上記した蓄えた付勢力を図９に例示するごとく摺動体２のばね部材４の付勢力に抗した動きに伴って解放可能となる。
【００１０】
以上の本発明は、請求項２〜６のように具体化されることがより好ましい。すなわち、
(ア)前記係止補強体６は、前記係合体に圧接して付勢力を蓄積可能な弾性片部６ｃを有している構成である（請求項２）。
(イ)前記係止補強体６及び前記摺動体２は、一方に設けられた凸部２１ｅと、他方に設けられた凹部６ｂとを有し、前記係合体３が係止状態から係止解除状態に切り換えられる過程で、前記凸部と凹部とが着脱可能に嵌合して前記係止補強体の揺動を規制する構成である（請求項３）。
(ウ)前記係止補強体６は、幅方向の両側に設けられた突起部６ｄを有し、前記突起部が前記係合体側に設けられた位置決め部３３に嵌合した状態に組み付けられる構成である（請求項４）。
【００１１】
(エ)前記係合体３は、背面側に設けられた凹所３４を有し、前記弾性片部６ｃが前記凹所内に圧接変形可能に配置されている構成である（請求項５）。
(オ)前記摺動体２及び前記係合体３は、一方に設けられた長穴２９と、他方に設けられた軸部３５とを有し、前記係合体が前記摺動体に対し前記軸部を前記長穴に移動可能に嵌合した状態に枢支されており、前記係合体が前記被係脱部材の引き抜き方向への引き力により係止解除方向へ揺動されるときに前記軸部３５が前記長穴２９内で移動する構成である（請求項６）。
【発明の効果】
【００１２】
請求項１の発明では、係合体が被係脱部材を係止した（トレース部材がカム溝に係止された）係止状態で、図７に示されるごとく被係脱部材を介して無理抜き方向に一定値以上の負荷を受けると、係合体が図８に示されるごとく係止解除方向に回転しようとし、その際に係止補強体の弾性ないしは付勢力に抗し、つまり係止補強体の弾性力ないは付勢力を蓄えつつ回転して被係脱部材を係止解除する。
【００１３】
このため、本発明では、係止補強体が図７及び図８の無理抜き時に弾性的に撓んで係合体の揺動抵抗として作用し、また、無理抜きを伴わない通常の作動時だと図５及び図６から推察されるごとく係止補強体が撓まないため係止補強体のないときと同様スムーズに作動する。これにより、本発明では、係止補強体又はその一部を変更することで無理抜き荷重を高くしたり用途に応じて確実かつ的確に変更でき、その結果、設計自由度を向上し用途拡大に寄与できる。
【００１４】
請求項２の発明では、係止補強体が係合体に圧接する弾性片部を有しているため、例えば弾性片部の太さ、長さ、傾きなどを変更するだけで、用途に応じた大きさの無理抜き荷重を容易に設定可能となる。
【００１５】
請求項３の発明では、図８に示されるごとく係合体が係止状態から係止解除状態に切り換えられる途中で、摺動体との間に設けられた凸部と凹部とが嵌合することにより係止補強体の揺動を規制して対応部を撓み易くしたり弾性力を効率よく得られるようにする。
【００１６】
請求項４の発明では、係止補強体が幅方向の両側に設けられた突起部を有し、各突起部が係合体側に設けられた位置決め部に嵌合していると、摺動体に枢支された状態で係止補強体の係合体に対する正確な位置関係を保ち、それにより対応部を常に同じ値だけ撓ませたり弾性力を得られるようにする。
【００１７】
請求項５の発明では、係止補強体の弾性片部が係合体の凹所に配置されているため弾性片部の配置空間を確保し易く、かつ安定した圧接変形も得られるようにする。
【００１８】
請求項６の発明では、係合体が摺動体に対し軸部を長穴に移動可能に嵌合した状態に枢支され、係合体が被係脱部材の引き抜き方向への引き力により係止解除方向へ揺動されるときに軸部が長穴内で移動するため、例えば、無理抜きに伴う過剰の負荷を緩和したり緩衝音の発生を抑えることができる。
【図面の簡単な説明】
【００１９】
【図１】形態のラッチ装置及びストライカーの関係を示し、（ａ）はストライカーを係止解除した状態で前方より見た概略図、（ｂ）はストライカーを係止した状態で後方より見た概略図である。
【図２】上記ラッチ装置を分解した概略的な構成図である。
【図３】（ａ）は上記ラッチ装置の要部を拡大して示す斜視図、（ｂ）は係止補強体の単品図である。
【図４】上記ラッチ装置の使用例を示し、（ａ）は図１（ａ）に対応した側面図、（ｂ）は図１（ｂ）に対応した側面図である。
【図５】上記ラッチ装置を図４（ａ）に対応した状態で示し、（ａ）は模式縦断面図、（ｂ）はトレース部材とカム溝との模式関係図である。
【図６】上記ラッチ装置を図４（ｂ）に対応した状態で示し、（ａ）は模式縦断面図、（ｂ）はトレース部材とカム溝との模式関係図である。
【図７】上記ラッチ装置の無理抜き作動を模式的に示し、（ａ）はストライカーを係止した状態での要部拡大図、（ｂ）は無理抜きを説明するための要部拡大図である。
【図８】（ａ）上記ラッチ装置の無理抜き初期態様図、（ｂ）は無理抜き最終態様図である。
【図９】（ａ）と（ｂ）は上記ラッチ装置を無理抜き後に初期態様に復帰させる際の操作を示し、（ｃ）はトレース部材とカム溝との模式関係図である。
【図１０】（ａ），（ｂ）は特許文献１のラッチ装置を係止解除状態及び係止状態で示す説明図である。
【発明を実施するための最良の形態】
【００２０】
本発明の最良の形態について添付図面を参照しながら説明する。図１〜図３はラッチ装置の構造を示し、図４はラッチ装置の使用例を示し、図５〜図９はラッチ装置の作動を示している。なお、図面では作図上の制約から細部を模式化したり簡略化ている。以下の説明では、装置構造、組立要領を明らかにした後、作動について詳述する。
【００２１】
（装置構造）図１〜図４に開示のラッチ装置は、偏平容器状のケース１と、被係脱部材であるストライカー７と当接する突当部２２及びカム溝２７を有してケース１に対し進退可能に配置された摺動体２と、摺動体２に対し揺動可能に枢支されて、爪部３２を突当部２２の上に突出してストライカー７を係止可能にする係止状態及び突当部２２の上から退行する係止解除状態に切り換えられる係合体３と、摺動体２をケース１から突出する方向へ付勢しているばね部材４と、カム溝２７を旋回するトレース部材５と、無理抜き加重増大用の係止補強体６とを備えている。そして、このラッチ装置は、摺動体２がストライカー７で後方へ押圧されてばね部材４の付勢力に抗して移動されると、その移動後の位置にカム溝２７及びトレース部材５を介して係止され、かつ係合体３が係止解除状態から係止状態に切り換えられるプッシュ式からなる。
【００２２】
また、以上のラッチ装置は、例えば、図４に示した機器類の本体８側に取り付けられ、扉９に取り付けられたストライカー７を係脱する使用例だと、扉９が不図示の付勢手段の付勢力に抗して閉位置方向へ押されると、扉９をストライカー７を介して係止し、更に扉９を同方向へ押して押し力を解放すると、ストライカー７に対する係止を解除する。勿論、使用方法としては、ラッチ装置を扉等の可動体側に取り付けて、機器類の本体側に取り付けられる被係脱部材を係脱する構成でもよい。また、材質は、ケース１、摺動体２、係合体３、係止補強体６は樹脂成形品であるが、樹脂以外でも差し支えない。
【００２３】
ここで、ケース１は、図１及び図２並びに図５に示されるごとく内部が上下壁１０，１１と、両側壁１２と、後側の底壁１３とで区画形成された略筒形となっている。このうち、上壁１０の内面には、細部を省いたが、トレース部材５の揺動範囲を規制する不図示のガイド部や摺動体２の前後動を案内する左右略中間部のガイド溝１０ａなどが設けられている。下壁１１には、前後中間に位置して摺動体２の移動範囲を規制する貫通されたガイド溝１１ａと、出入口側からガイド溝１１ａの手前に延びている内面の浅いガイド溝１１ｂと、内面両側に突設されて係合体３を係止解除方向へ回転可能にする張出部１６と、後側に設けられてばね部材４を保持する支持軸４０を位置決めする不図示の位置決め部などが設けられている。両側壁１２には、後下側に突設されている孔１７ａ付きの取付部１７と、対向して設けられて前後方向に延びているガイド溝１４などが設けられている。
【００２４】
底壁１３は、トレース部材５を揺動可能に取り付ける保持部として構成されている。この保持部は、両側壁１２の内面に連結支持された状態に設けられた略凹状となっている。該凹状の対向面には、後述するトレース部材側取付部５ａの嵌合穴５ｅに嵌合する不図示の突起、取付部５ａの端面に設けられた凸部５ｄに嵌合する不図示の孔などが設けられている。
【００２５】
摺動体２は、図２及び図３のごとくケース１の出入口側に配置される略矩形容器状の本体２０と、本体２０の後方に突設されて本体２０より幅細になっている後延長部２５とからなる。本体２０の外面には、上記ガイド溝１０ａに嵌合する上面の突起２０ａや上記ガイド溝１４に嵌合する両側面の突起２０ｂと、両側面を同軸線上に貫通して係止補強体６を枢支する軸孔２３と、下面側に設けられた矩形状の開口２１ａとが設けられている。本体の内部２４は、奥側端面の突当部２２と、途中から外上側に向かって広がるように傾斜した上面２１ｂと、開口２１ａ側より外下側に向かって広がるように傾斜した下面２１ｃと、対向している両側面２１ｄとで概略区画されていると共に、開口２１ａからも出入り可能となっている。下面２１ｃの外面には、図７のごとく幅方向に延びた凸部２０ｃが設けられている。
【００２６】
後延長部２５は、ハート形のカム溝２７を形成している上側部分と共にその上側部分と同方向に延びる下側の筒部２６で構成されている。上側のカム溝２７は、図５（ｂ）のごとく凸状カム島２８の周りに設けられて、後側から前側へ延びる誘導溝２７ａと、誘導溝２７ａの前側に位置して左右に別れている係止用誘導溝２７ｂ及び解除用誘導溝２７ｄと、誘導溝２７ｂ，２７ｄの間でかつ後側に位置した凹状係止溝２７ｃと、誘導溝２７ｄから後側へ延びる復帰溝２７ｅなどで構成されている。これに対し、筒部２６は、筒内が上記したばね部材４の上側を遊嵌可能な筒孔を形成しており、筒下側に突設されて上記ガイド溝１１ａと嵌合される突起２６ａと、筒両側に設けられて係合体３を枢支する長穴２９などを有している。
【００２７】
係合体３は、図２及び図３のごとく前板部３０と、前板部３０から後方向へ突設した両側の後片部と３１，３１とからなる。前板部３０には、上側に突出した爪部３２と、両側に設けられて前方ないしは上方に開口されている凹部３３と、背面側に設けられた矩形窪み状の凹所３４と、後端面の左右中間に突出されて上記筒部２６の筒内に入る突片部３８とが設けられている。爪部３２は、摺動体側開口２１ａから内部２４に自在に進入されたり退行される大きさである。各後片部３１には、前板部３０側に枢支用軸部３５と、後端側の凸部３６とが対向内面にそれぞれ突出形成されている。
【００２８】
ばね部材４は、コイルスプリングが用いられており、後端側が支持軸４０を介してケース１の対応部に保持される。そして、ばね部材４は、摺動体２がケース１の奥へ押圧移動される過程で付勢力を増大し、該付勢力によって係合体３を軸部３５を支点として係止方向へ回転可能にする。
【００２９】
トレース部材５は、図２のごとく概略逆Ｌ形からなり、垂直状の取付部５ａと、取付部５ａの上端に連結した水平状の腕部５ｂ、腕部５ｂの先端下面に突出されたピン部５ｃとからなる。このうち、取付部５ａは、下端の凸部５ｄと、両側の凹部５ｅと、下内周側の凸状の受け部５ｆとを形成しており、上記したケース底壁１３の凹状保持部に対し、凸部５ｄが保持部側の不図示の穴に嵌合され、保持部側の不図示の突片部が各凹部５ｅに嵌合した状態で左右に揺動可能に保持される。ピン部５ｃは、断面が小さな矩形状をなし、腕部５ｂから直角に下設されている。以上のトレース部材５は、受け部５ｆに上記したばね部材４を支持ている支持軸４０が位置決め係止されることで常に後方向に付勢され、それによりがたつきが吸収されたり、センタリング可能となっている。
【００３０】
係止補強体６は、図３のごとく係合体側前板部３０の背面上部分を覆う概略形状であり、両側面に突設されて摺動体側の軸孔２３に嵌合される軸部６ａと、前上側に設けられて上記した摺動体側凸部２０ｃと係脱する凹部６ｂと、後下側に設けられて上記した係合体側の凹所３４に遊嵌ないしは挿入される複数の弾性片部６ｃと、両側から弾性片部６ｃとほぼ同じ方向に突設されて上記した係合体側の凹部３３に嵌合される突起部６ｄと、両側に位置しかつ突起部６ｄの反対側に湾曲形成されて前板部３０の背面側を覆う円弧部６ｅとを有している。
【００３１】
（組立）以上の各部材は、まず、係合体３及び係止補強体６が摺動体２に組み付けられる。この作業において、例えば、係止補強体６は、図３（ａ）のごとく係合体３に対し各弾性片部６ｃを対応する凹所３４に挿入すると共に、各突起部６ｄを対応する凹部３３に嵌合することにより組み付けられる。この状態から、この構造では、係止補強体６が摺動体２の各軸孔２３に対し両側の軸部６ａを嵌合枢支され、係合体３が摺動体２の各長穴２９に対し両側の軸部３５を嵌合枢支される。
【００３２】
次に、ケース１に対して以上の係合体３及び係止補強体６付きの摺動体２が組み込まれる。この作業では、例えば、予めばね部材４が支持軸４０を介して、また、トレース部材５が上記した底壁１３の保持部に揺動可能に支持した状態にしてそれぞれケース１内に配置しておく。そして、係合体３及び係止補強体６付きの摺動体２は、突起２０ａをガイド溝１０ａに、突起２０ｂをガイド溝１４にそれぞれ嵌合した状態で、ケース１内に押し入れられると、突起２６ａがガイド溝１１ｂからガイド溝１１ａに落ち込んで嵌合されたときに、ケース１に対し抜け止めされて組み付けられる。
【００３３】
この押し入れ過程では、ばね部材４の上側が筒部２６内に入り、係合体３の突片部３８に当接する。そして、ばね部材４は、摺動体２がケース１の奥へ押圧移動される過程で付勢力を増大し、該付勢力によって係合体３を軸部３５を支点として係止状態の方向へ回転可能にする。また、トレース部材のピン部５ｃは、対応するカム溝２７の溝入口に入る。一方、係止補強体６は、図８のごとくストライカー７の引き抜き方向への引き力により係合体３が係止解除方向へ揺動されるときにその係合体３の揺動抵抗となって付勢力を蓄え、かつ、ストライカー７を係合体３から引き抜くと蓄えた付勢力により係合体３を再び係止状態に切り換える。
【００３４】
（作動）以上のラッチ装置は、使用態様として、図４に例示したごとく扉９に取り付けられたストライカー７に対応して、機器類側本体８に位置決めされてねじなどにより取り付けられる。取付状態において、ラッチ装置は、通常、図５のごとく摺動体２がばね部材４により突出方向へ付勢移動（この移動は突起２６ａがガイド溝１１ａの前端面に当たることで規制される）されると共に、係合体３が爪部３２を本体内部２４から外へ退行する方向へ回転（この回転は凸部３６が張出部１６の最も高くなった箇所に乗り上げる）されている。この状態が係合体３の係止解除状態である。
【００３５】
扉９が閉方向である図４（ａ）の左矢印方向に押し操作されると、摺動体２はストライカー７によりばね部材４の付勢力に抗してケース１内に没する方向へ押圧移動される。その移動過程では係合体３が軸部３５を支点として係止状態の方向へ回転される。すると、係合体３は、凸部３６が張出部１６の低い側へ移行し、同時にストライカーの先端７ａの手前に設けられた凹部７ｃに爪部３２を係合し抜け止めする。このとき、係合体３は、図６のごとくトレース部材のピン部５ｃが摺動体２及び係合体３の後方移動によって上記した誘導溝２７ａから係止用誘導溝２７ｂに入り、図５の左矢印方向の押圧力を解放したときに、係止溝２７ｃに係止される。この係止により、扉９が閉状態にロック保持される。
【００３６】
また、以上の扉保持状態から図５の解除状態に切り換えるときは、扉９を閉じ方向へ少し押した後、該押し力を解放する。すると、トレース部材のピン部５ｃは、図６（ｂ）のごとく上記した係止溝２７ｃから解除用誘導溝２７ｄ、復帰溝２７ｅを経て再び溝入口に戻り、同時に、係合体３が当初の解除位置に切り換えられる。このラッチ装置は、以上のような通常の作動において従来と同様であるが、次の点で改良されている。
【００３７】
すなわち、以上のラッチ装置では、通常時の作動を従来と同様に維持しながら、無理抜き荷重、つまり図７（ａ）に示される係合体３の係止状態において、上記した扉９に対し同（ｂ）のごとく扉開方向に外力が作用したとき、係合体３が爪部３２を本体内部２４から外へ退行するよう回転、つまり無理抜きにより係止解除状態に切り換えられる際の荷重ないしは強度を係止補強体６によって高めることができ、更には係止補強体６として弾性片部６ｃの太さ、硬さ、長さなどによって変形度合いを変えるだけで、用途に応じた最適な無理抜き荷重に変更できる。この点を図７〜図９を参照し明らかにする。
【００３８】
（１）図７（ｂ）は同（ａ）のごとく係合体３の係止状態において、上記した扉９に対し扉開方向である同図の矢印方向に外力が作用した初期態様を示している。この初期態様では、係合体３が外力により前方へ引っ張られると、摺動体側長穴２９に嵌合している軸部２５を支点として時計回りの方向へ動こうとする。その際、係合体３は同（ａ）に示された爪部３２と開口２１ａの対応部との隙間ａを吸収し、また、軸部３５が軸穴２９内で前側から後側へ動き、また、摺動体側本体２０に対し軸部６ａ及び軸孔２３を介して枢支された係止補強体６は係合体３に近づくため同（ｂ）のごとく係合体側凹所３４内において弾性片部６ｃがｂ寸法だけ撓む。なお、係止補強体６は、係合体３に対し突起部６ｄが係合体側凹部３３に嵌合されているため軸部６ａを支点とした回転が規制されている。
【００３９】
（２）図８（ｂ）は図７（ｂ）及び図８（ａ）から矢印方向の外力が更に作用し、係合体３が爪部３２を本体内部２４から退行、つまり係止解除方向へ回転して、爪部３２を本体内部２４からほぼ完全に退行した態様を示している。これらの過程では、係合体３が爪部３２を開口２１ａの対応端面を摺接しながら軸部３５を支点として時計回りに回転される。係止補強体の弾性片部６ｃは、その回転により凹所３４内に対する圧接度合いを強めて付勢力を蓄積する。
【００４０】
以上のような付勢力の蓄積は、係合体３が図８（ｂ）の係止解除状態に達し、ストライカー７の先端７ａが開口２１ａを横切って外へ移動される直前で最大となる。換言すると、この構造では、係合体３が軸部３５を支点とし係止状態から係止解除状態に回転して切り換えられるときに、弾性片部６ｃの変形抵抗を受けることにより課題に記載した無理抜き荷重ないしは強度を高くすることができる。この無理抜き荷重ないしは強度は、例えば、弾性片部６ｃの太さなどを変えた複数の係止補強体６を用意しておき、それらを選択することにより用途に応じた任意の大きさに簡単に変更できる。なお、係止補強体６は、図８（ａ）の途中態様から図８（ｂ）の係止解除状態に達する過程において、凹部６ｂが摺動体側凸部２０ｃに弾性係合することにより不用意に揺動しないように規制される。
【００４１】
（３）図９は上記のごとく無理抜きした後のラッチ装置を再び使用するときの操作例を示している。この操作では、図９（ａ）のごとく図５の操作と同様に扉側ストライカー７を付勢力に抗して同図の矢印方向に押して動かし、摺動体２を同（ｂ）のごとくばね部材４の付勢力に抗してケース１内に若干押し入れた後、同（ａ）の矢印方向への（扉側ストライカー７に対する）押し力を解放する。
【００４２】
（４）すると、この構造では、まず、摺動体２がケース１に対して同（ｂ）のごとく左側（ケース内部側）へ押されて動かされると、トレース部材のピン部５ｃが同（ｃ）のごとく係止溝２７ｃから解除用誘導溝２７ｄに移行し、また、係止補強体６が（凹部６ｂと凸部２０ｃとの係合を解除し）上記した弾性片部６ｃに蓄積した付勢力により軸部６ａを支点とし時計回りの方向に回転、つまり付勢力を解放する方向に回転する。続いて、同（ａ）の矢印方向への（扉側ストライカー７に対する）押し力が解放されると、摺動体２が同（ｂ）の一点鎖線に示されるごとくばね部材４の付勢力によりケース１から突出方向へ移動され、それによりラッチ装置として再び図５の状態に切り換えられる。
【００４３】
なお、本発明は以上の形態に何ら制約されることなく、請求項で特定される要件を備えておれば、必要に応じて種々変更可能なものである。その例として、係合体３を摺動体２に枢支する構造としては、摺動体２には軸穴２９に代えて軸部を設け、係合体３には軸部３５に代えて軸穴を設けて、係合体３を摺動体２に対しそれら軸部及び軸穴の嵌合を介して枢支するようにしたり、更に摺動体２及び係合体３に共に軸穴を設けて、係合体３を摺動体２に対しそれら軸穴同士に挿通されるシャフトを介して枢支する構成でもよい。また、トレース部材及びカム溝としては図１０のような構成でも差し支えない。
【符号の説明】
【００４４】
１…ケース（１１ａはカイド溝、１６は張出部、１８は支持軸）
２…摺動体（２０は本体、２２は突当部、２３は軸穴、２４は内部、２９は長穴）
３…係合体（３１は後片部、３２は爪部、３４は凹所、３５は軸部）
４…ばね部材（４０は支持軸）
５…トレース部材（５ａは取付部、５ｂは腕部、５ｃはピン部）
６…係止補強体（６ａは軸部、６ｂは凹部、６ｃは弾性片部、６ｄは突起部）
７…ストライカー（被係脱部材、７ａは爪部、７ｂは凹部、７０はベース）
８…本体
９…扉
２５…後延長部（２６は筒部）
２７…カム溝（２８はハート形島、２７ｃは係止溝）
３３…位置決め部
【図１】
0005789437.tif 000002
【図２】
0005789437.tif 000003
【図３】
0005789437.tif 000004
【図４】
0005789437.tif 000005
【図５】
0005789437.tif 000006
【図６】
0005789437.tif 000007
【図７】
0005789437.tif 000008
【図８】
0005789437.tif 000009
【図９】
0005789437.tif 000010
【図１０】
0005789437.tif 000011